(57)【特許請求の範囲】
【請求項１】
端末が同じ優先順位の複数の周波数におけるセルに対して再選択を行うセル再選択方法において、
上記同じ優先順位の複数の周波数におけるセルを同優先順位セルに設置することを含めること、
端末は、セル再選択を行う場合に、優先順位の再選択原則に基づいて同じ優先順位の複数の周波数におけるセルを選択すること、
上記端末は最適なセルの再選択原則に基づいて上記同優先順位セルから再選択セルを選択することをさらに含めること、
上記同優先順位セルは、
(i)駐在セルよりも優先順位が高い複数の周波数におけるセル、
(ii)駐在セルよりも優先順位が低い複数の周波数におけるセル、及び
(iii)駐在セル、並びに上記駐在周波数及び上記駐在周波数と同じ優先順位を備える一つ以上の周波数におけるセル、
のうちの一つであること
を特徴とし、
上記最適なセルの再選択原則は、ズレに基づくセル再選択原則であることを特徴とするセル再選択方法。
【請求項２】
上記同優先順位セルの優先順位は、相応の周波数の絶対的な優先順位に等しいことを特徴とする請求項１に記載される方法。
【請求項３】
同じ優先順位を備える複数の周波数におけるセルに対して再選択を行う端末において、
端末がセル再選択を行う場合に、優先順位の再選択原則に基づいて、同優先順位セルである同じ優先順位の複数の周波数におけるセルを選択する第１再選択モジュールと、
最適なセルの再選択原則に基づいて、上記同優先順位セルから再選択セルを選択する第２再選択モジュールと、
を備え、
上記同優先順位セルは、
(i)駐在セルよりも優先順位が高い複数の周波数におけるセル、
(ii)駐在セルよりも優先順位が低い複数の周波数におけるセル、及び
(iii)駐在セル、並びに上記駐在周波数及び上記駐在周波数と同じ優先順位を備える一つ以上の周波数におけるセル、
のうちの一つであること
を特徴とし、
上記最適なセルの再選択原則は、ズレに基づくセル再選択原則であることを特徴とする端末。
【請求項４】
上記同優先順位セルの優先順位は相応の周波数の絶対的な優先順位に等しいことを特徴とする請求項３に記載される端末。
【請求項５】
上記第１再選択モジュールが具体的に周波数優先順位に従って高優先順位の周波数におけるセルを選択することに使用されることを特徴とする請求項３に記載される端末。
【発明の詳細な説明】
【技術分野】
【０００１】
本発明は、通信分野に関し、特に、セル再選択方法及び端末に関する。
【背景技術】
【０００２】
従来、セルラー移動通信システムにおいて、端末がセル切り替えとセル再選択を行うことは重要的な技術であって、具体的に、ユーザー端末（Ｕｓｅｒ Ｅｑｕｉｐｍｅｎｔ、ＵＥと略称）は、一つのセルから離脱して別のセルに入る場合に、端末が受信される元セルの信号が次第に減弱するが、受信される進入セルの信号が次第に増強して、端末が受信された信号の質を保持するために、この端末は元基地局から新規に進入する信号がより強い基地局に転換する。
【０００３】
接続状態の端末に対して、この基地局の間の転換は切り替えと呼ばれて、アイドリング状態の端末に対して、端末駐在セルの変更はセル再選択プロセスより完成されてから、端末は目標セルを測定しなければいけならないとともに、要求に一致するセルにおいてセル再選択を行う。
【０００４】
第３世代（３ｒｄ Ｇｅｎｅｒａｔｉｏｎ、３Ｇと略称）移動通信システムにおいて、端末は異なるセルの信号の質を測定して、測定された信号の質と駐在セルの信号の質の閾値とを比較して、測定された信号の質が一定期間のうちに連続に再選択基準に達すると、端末はこのセルに再選択する。
【０００５】
具体的に、端末がセル再選択を行う場合に、本セル及び隣接セルの信号電圧レベル或いは信号の質を測定した後、本セルの測定値をセル再選択評価値Ｒｓにマッピングし、測定された隣接セルの測定値をＲｎにマッピングする必要がある。そして、ＲｓとすべてのＲｎ値をソーティングして比較し、一番目のセルは無線信号の質が最適なセルであって、最適なセルは端末が駐在する当時点セルではない場合、端末はこのセルに再選択する。この中に、ＲｓとＲｎの計算方法はプロトコルより特定され、計算に関する関連パラメーターは駐在セルの放送チャネルより端末に発行する。
【０００６】
第３世代移動通信長期発展型（Ｌｏｎｇ Ｔｅｒｍ Ｅｖｏｌｕｔｉｏｎ、ＬＴＥと略称）システムの発展型汎用陸上無線アクセスネットワーク（Ｅｖｏｌｖｅｄ Ｕｎｉｖｅｒｓａｌ Ｔｅｒｒｅｓｔｒｉａｌ Ｒａｄｉｏ Ａｃｃｅｓｓ Ｎｅｔｗｏｒｋ、Ｅ-ＵＴＲＡＮと略称）システムは、続いて上記セルの再選択方法を使用して同じ周波数のセル再選択を行う。具体的に、端末はＲｓ=Ｑｍｅａｓ、ｓ+Ｑｈｙｓｔｓ、Ｒｎ=Ｑｍｅａｓ、ｎ-Ｑｏｆｆｓｅｔを計算する必要があって、この中に、ｓは、駐在セルを示し、ｎは隣接セルを示し、Ｑｍｅａｓ，ｓは駐在セルの測定電圧レベルを示し、Ｑｍｅａｓ，ｎは隣接セルの測定電圧レベルを示し、Ｑｈｙｓｔｓはサービスセル遅延を示し、Ｑｏｆｆｓｅｔは隣接セルの電圧レベルズレを示して、計算を完成する後で、端末はすべてのＲ値をソーティングし、一番目のものが最適なセルである。端末は最適なセルを再選択するが、隣接セルの再選択の難易度を考慮して、セルの無線の質以外には、Ｑｏｆｆｓｅｔの値の大きさにも依存してから、上記Ｒのソーティングよりの再選択方法はズレに基づくセル再選択方法と呼ばれる。
【０００７】
ズレに基づくセル再選択方法が全周波数内と周波数間の隣接セルを測定する必要があるから、端末がより多い電気エネルギーを消耗することが引き起す。端末が異なる周波数の測定に対して受信機の共振周波数を切り替える必要であり、同周波数測定に対して必要ではないので、ＬＴＥはすべての隣接セルを周波数より組み分け、端末は、まず周波数の絶対的な優先順位に基づいてソーティングして、最高優先順位の周波数を見つけて、そして、この周波数のうちにズレに基づくセル再選択方法より一つのセルを選定する。この再選択方法は優先順位に基づく再選択方法と呼ばれ、選択されるセルは下記の条件を満足するべきである。測定された周波数における一つのセルのＳｎｏｎＳｅｒｖｉｎｇＣｅｌｌ，ｘ値は何時もＴｒｅｓｅｌｅｃｔｉｏｎＲＡＴ期間内に閾値Ｔｈｒｅｓｈｘ，ｈｉｇｈより大きい。ここで、ｘは測定された周波数を示し、ｎｏｎＳｅｒｖｉｎｇＣｅｌｌは測定されたセルを示し、ＳｎｏｎＳｅｒｖｉｎｇＣｅｌｌ，ｘは測定されたセルの測定電圧レベルを示し、ＴｒｅｓｅｌｅｃｔｉｏｎＲＡＴはセル再選択測定時間を示し、Ｔｈｒｅｓｈｘ，ｈｉｇｈは高優先順位の周波数に対して閾値を再選択することを示す。上記条件を満足してこそ、再選択セルに選択される可能性があって、且つ、セルは再選択セル選択する際に、下記の点を注意しなければならない。
【０００８】
１、一つの高優先順位周波数内のあるセルが上記条件を満足するとともに、端末が当時点で駐在セルにもう１秒以上に駐在すると、このセルに再選択する。
【０００９】
２、駐在周波数及び駐在周波数と同じ優先順位を備える周波数内に再選択可能なセルがない上に、上記条件を満足する高優先順位周波数セルがなくて、且つ、駐在セルの測定電圧レベルＳＳｅｒｖｉｎｇＣｅｌｌは閾値Ｔｈｒｅｓｈｓｅｒｖｉｎｇ、ｌｏｗより低くて、測定された低優先順位周波数に一つのセルのＳｎｏｎＳｅｒｖｉｎｇＣｅｌｌ、ｘ値は、ＴｒｅｓｅｌｅｃｔｉｏｎＲＡＴ期間内に全ての閾値Ｔｈｒｅｓｈｘ，ｌｏｗより大きいと、このセルを再選択する。ここに、ｘは測定された低優先順位周波数を示し、ＳｎｏｎＳｅｒｖｉｎｇＣｅｌｌ，ｘは測定されたセルの測定電圧レベルを示し、ＴｒｅｓｅｌｅｃｔｉｏｎＲＡＴはセル再選択測定時間を示し、Ｔｈｒｅｓｈｓｅｒｖｉｎｇ，ｌｏｗは駐在セル低電圧レベル閾値を示し、Ｔｈｒｅｓｈｘ，ｌｏｗは低優先順位周波数に対して閾値を再選択することを示す。
【００１０】
３、同周波数セルと同優先順位周波数セル内の再選択に対して、ズレに基づくセル再選択方法より再選択する。
【００１１】
４、一つの周波数内に複数のセルが上記条件を満足する際に、端末は最適なセルを選択して再選択の目標セルとする。
【００１２】
上記の内容より分かるように、関連技術において、優先順位に基づく再選択方法は、ただ同周波数の内に端末がズレのセル再選択方法（Ｒ値に基づくソーティング方法）より最適なセルを選択すること定義するだけである。但し、複数の同じ優先順位周波数内にそれぞれいくつかの優先順位に基づく再選択方法の再選択条件を満足するセルがある場合に、どのようにこれらのセル内にセル再選択を行うのは、関連技術でまだ有効的な対策が提示されていない。
【発明の概要】
【発明が解決しようとする課題】
【００１３】
本発明は、複数の同じ優先順位の周波数の内にそれぞれいくつかの再選択条件を満足するセルがある場合に、どのようにこれらのセルの内に再選択セルを選択する問題を考慮してなされたものであるから、本発明の主な目的としては、関連技術における上記問題を解決するために、セル再選択方法と端末を提供することである。
【課題を解決するための手段】
【００１４】
本発明による方法は、端末が複数の同じ優先順位の周波数の内にセルを再選択するセル再選択方法を提供することにある。
【００１５】
本発明によるセル再選択方法は、複数の同じ優先順位の周波数におけるセルを同優先順位セルに設置することを含める。
【００１６】
また、端末は、セル再選択を行う際に、優先順位の再選択原則に基づいて、同じ優先順位の複数の周波数のセルを選択する。端末は、最適なセルの再選択原則に基づいて、同優先順位セル内から再選択セルを選択する。
【００１７】
ここに、上記同優先順位セルは、具体的に、優先順位と同じはまたは駐在周波数より高い優先順位の複数の周波数におけるセルと、優先順位と優先順位が同じまた駐在周波数より低い複数の周波数におけるセルと、駐在セル、駐在周波数及び駐在周波数と同じ優先順位を備える一つ或複数の周波数内のセルと、のいずれかの一つを含める。
【００１８】
ここに、上記同優先順位セルの優先順位は、相応の周波数の絶対的な優先順位に等しい。
【００１９】
ここに、上記最適なセルの再選択原則は、ズレに基づくセル再選択原則である。
【００２０】
本発明による一方は、複数の同じ優先順位を備える周波数内のセルを再選択する端末を提供することにある。
【００２１】
本発明によると、端末は、セル再選択を行うときに、優先順位の再選択原則に基づいて、同優先順位セルである同じ優先順位の複数の周波数のセルを選択する第１再選択モジュールと、最適なセルの再選択原則に基づいて、同優先順位セル内から再選択セル選択する第２再選択モジュールと、を含める。
【００２２】
ここに、同優先順位セルは、具体的に、優先順位と同じまたは駐在周波数より高い優先順位の複数の周波数内セルと、優先順位同じまたは駐在周波数より低い優先順位の複数の周波数内のセルと、駐在セル、駐在周波数及び駐在周波数と同じ優先順位を備える一つまたは複数の周波数内のセルと、のいずれかの一つを含める。
【００２３】
ここに、同優先順位セルの優先順位は、相応の周波数の絶対的な優先順位に等しい。
【００２４】
ここに、第１再選択モジュールは、具体的に、周波数優先順位より高優先順位の周波数におけるセルを選択することに使用される。
【００２５】
ここに、上記最適なセルの再選択原則は、ズレに基づくセル再選択原則である。
【発明の効果】
【００２６】
本発明の技術案によって、同じ優先順位の複数の周波数のセルを選択した後で最適セルを選択することで、端末は特定の方式に従って高速的にセル再選択を行わせることができるとともに、ネットワークのパラメーターの配置は予期の目的に達させることができる。
【００２７】
本発明の他の特徴と利点は下記の実施形態において説明され、または、部分的に明細書によって明らかになって、本発明が実施できるよう把握できよう。本発明の目的とその他の利点は下記の実施形態、請求項及び図面において具体的に例示される構成によって実現し得る。
【図面の簡単な説明】
【００２８】
【図１】本発明による実施例のセル再選択方法に関するフローチャートである。
【図２】本発明による実施例の端末に関するブロック図である。
【発明を実施するための形態】
【００２９】
ここで記載する添付図面は本発明をさらに説明するためであり、本発明の一部を構成し、示した実施例とその説明は本発明を解釈するためであり、本発明に対する不当な限定ではない。
【００３０】
（効果概要）
現在、関連技術において、優先順位に基づく再選択方法は、ただ一つの周波数内にセルに対するセル再選択方法を定義するだけであるが、複数の同じ優先順位周波数内にそれぞれにいくつかの優先順位に基づく再選択条件を満足するセルがある情况でのセル再選択方法を定義されていない。よって、上記問題に対して、本発明は、複数の同じ優先順位の周波数内のセルを同優先順位セルに設置する、且つ、端末がセル再選択を行う場合に、まず優先順位の再選択原則に基づく同じ優先順位の一つ或は複数の周波数におけるセルを選択した後、最適なセルの再選択原則に基づいて、同優先順位セルから再選択セルを選択するセル再選択の技術案を提示することにある。
【００３１】
以下に添付図面を参照しながら本発明の好ましい実施例について詳細に説明し、なお、ここで述べる好ましい実施例は単に本発明を説明と解釈する用だけであり、本発明を限定されるものではない。なお、矛盾しない限り、本発明の実施例及びその特徴は相互に組み合わせてもよい。
【００３２】
（方法の実施例）
本発明の実施例によると、端末が複数の同じ優先順位の周波数内におけるセルに対して再選択を行うセル再選択方法を提供することにある。図１は、本発明の実施例のセル再選択方法のフローチャートであって、図１に示すように、以下の処理を含める。
【００３３】
ステップＳ１０２、端末はセル再選択を行う際に、優先順位に基づく再選択原則を使用し、同じ優先順位の複数の周波数におけるセルを選択して、ここに、同じ優先順位の複数の周波数におけるセルは同優先順位セルである。
【００３４】
ステップＳ１０２において、優先順位に基づく再選択原則を使用して同優先順位セルの選択を行うとは、端末が周波数優先順位より、優先的に高優先順位の周波数におけるセルを選択することができる。
【００３５】
また、実際の応用において、同優先順位セルが、優先順位と同じ駐在周波数より高い優先順位の複数の周波数におけるセルであってよいし、優先順位と同じ駐在周波数より低い優先順位の複数の周波数におけるセルであってもよいし、駐在セル、駐在周波数及び駐在周波数と同じ優先順位を備える一つまたは複数の周波数におけるセルであってもよい。且つ、同優先順位セルの優先順位は相応の周波数の絶対的な優先順位に等しい。
【００３６】
ステップＳ１０４、端末は最適なセルに基づく再選択原則に基づいて、同優先順位セルから再選択セルを選択する。ここに、上記最適なセルの再選択原則とは、ズレに基づくセル再選択原則（ズレに基づくセル再選択原則は背景技術で詳細に説明されて、ここに重複しない）である。
【００３７】
以下、実例を結合しながら、本発明の上記技術案に対して詳細に説明する。
【００３８】
実例１：高優先順位に対する周波数再選択
周波数Ｆ_ａ１、Ｆ_ａ２は、同じ優先順位を備える高優先順位周波数であって、Ｃ_ａ１_１、Ｃ_ａ１_２は周波数Ｆ_ａ１におけるセルであって、Ｃ_ａ２_１は周波数Ｆ_ａ２におけるセルである。当時点で端末は周波数Ｆ_ｂ１に駐在し、Ｆ_ｂ１の優先順位はＦ_ａ１、Ｆ_ａ２より低い。Ｃ_ｂ１_１は端末の駐在セルである。
【００３９】
端末は、周期的に異周波数セルＣ_ａ１_１、Ｃ_ａ１_２及びＣ_ａ２_１を測定して、期間ＴｒｅｓｅｌｅｃｔｉｏｎＥ_ＵＴＲＡＮに位置すると、異周波数セルがＳＣ_ａ１_１，Ｆ_ａ１>ＴｈｒｅｓｈＦ_ａ１，ｈｉｇｈ、ＳＣ_ａ１_２，Ｆ_ａ１>ＴｈｒｅｓｈＦ_ａ１，ｈｉｇｈとＳＣ_ａ２_１，Ｆ_ａ２>ＴｈｒｅｓｈＦ_ａ２，ｈｉｇｈを満足し、即ち、三つの高優先順位セルが同時に再選択条件（再選択条件とは測定された周波数における一つのセルのＳｎｏｎＳｅｒｖｉｎｇＣｅｌｌ，ｘ値はＴｒｅｓｅｌｅｃｔｉｏｎＲＡＴ期間内に閾値Ｔｈｒｅｓｈｘ，ｈｉｇｈより大きい）を満足すると、優先順位に基づく再選択方法より、端末はこの三つのセルの一つに再選択する必要があって、ここに、Ｃ_ａ１_１、Ｃ_ａ１_２とＣ_ａ２_１が同じ優先順位セルに属して、ズレに基づくセルの再選択原則より、ＲＣ_ａ１_１、ＲＣ_ａ１_２とＲＣ_ａ２_１を計算した後でソーティングを行って、このときに、ＲＣ_ａ１_２が一番大きくになると、Ｃ_ａ１_２は最適なセルであって、端末はセルＣ_ａ１_２に再選択する。
【００４０】
上記の処理より、本発明に規定される方式で、端末は高優先順位周波数に対してセル再選択を行うことが実現した。
【００４１】
実例２：低優先順位周波数に対する周波数再選択
周波数Ｆ_ｃ１、Ｆ_ｃ２は、同じ優先順位の低優先順位周波数であって、Ｃ_ｃ１_１は周波数Ｆ_ｃ１におけるセルであって、Ｃ_ｃ２_１は周波数Ｆ_ｃ２におけるセルである。当時点での端末は周波数Ｆ_ｂ１に駐在して、Ｆ_ｂ１の優先順位がＦ_ｃ１、Ｆ_ｃ２より高い。Ｃ_ｂ１_１は駐在セルであって、Ｆ_ｂ２は駐在周波数と同じ優先順位の周波数であって、Ｃ_ｂ２_１はこの周波数におけるセルであって、ＳＣ_ｂ１_１が閾値ＴｈｒｅｓｈＣ_ｂ１_１，ｌｏｗより低い場合に、Ｃ_ｂ２_１は再選択条件を満足しない。
【００４２】
この時点で優先順位がＦ_ｂ１より高い周波数が存在しないから、端末は低優先順位周波数Ｆ_ｃ１、Ｆ_ｃ２に対して再選択することを考慮し始める必要があって、期間ＴｒｅｓｅｌｅｃｔｉｏｎＥ_ＵＴＲＡＮにおいて、ＳＣ_ｃ１_１，Ｆ_ｃ１>ＴｈｒｅｓｈＦ_ｃ１，ｌｏｗとＳＣ_ｃ２_１，Ｆ_ｃ２>ＴｈｒｅｓｈＦ_ｃ２，ｌｏｗとを満足し、即ち、二つの低優先順位セルが同時に再選択条件を満足すると、優先順位に基づく再選択方法より、端末は二つのセルのいずれかの一つに再選択する必要がある。Ｃ_ｃ１_１とＣ_ｃ２_１が、同じ優先順位セルに属して、ズレに基づくセル再選択原則より、ＲＣ_ｃ１_１、ＲＣ_ｃ２_１を計算しソーティングして、この時に、ＲＣ_ｃ１_１が一番大きくになると、Ｃ_ｃ１_１は最適なセルであって、端末はセルＣ_ｃ１_１を再選択する。
【００４３】
上記の処理より、端末が本発明に規定された方式で、低優先順位周波数に対してセル再選択を行うことを実現する。
【００４４】
（装置の実施例）
本発明の実施例より、複数の同じ優先順位を備える周波数におけるセルに対して再選択を行う端末を提供することにある。この装置は、上記方法実施例が提供されるセル再選択方法を実現ことに適応することができる。
【００４５】
図２は、本発明による実施例の端末のブローク図であって、図２に示すように、第１再選択モジュール２０と第２再選択モジュール２２を含めて、実際の応用において、上記第１再選択モジュール２０、第２再選択モジュール２２が一体に設置されてもよいが、本実施例において、本発明の技術案をさらに明瞭に説明するために、分別に設置する方式を採用して、以下、上記二つのモジュールに対して詳細に説明する。
【００４６】
第１再選択モジュール２０は、端末がセル再選択を行う場合に、優先順位の再選択原則に基づいて同じ優先順位の複数の周波数におけるセルを選択し、ここに、同じ優先順位の複数の周波数におけるセルが同優先順位セルであって、
ここに、優先順位の再選択原則に基づいて同優先順位セルの選択を行うとは、第１再選択モジュール２０が優先順位に基づく再選択方法より同じ優先順位の複数の周波数におけるセルを選択できる。
【００４７】
また、実際の応用において、同優先順位セルは、優先順位と同じまたは駐在周波数より高い優先順位の複数の周波数におけるセルであってよいし、優先順位と同じまたは駐在周波数より低い優先順位の複数の周波数におけるセルであってよいし、駐在セル、駐在周波数及び駐在周波数と同じ優先順位を備える一つまたは複数の周波数におけるセルであってもよい。且つ、同優先順位セルの優先順位は相応の周波数の絶対的な優先順位に等しい。
【００４８】
第２再選択モジュール２２は第１再選択モジュール２０に連結され、最適なセルの再選択原則に基づいて、第１再選択モジュール２０が選択された同優先順位セルから再選択セルを選択する。ここに、上記最適なセルの再選択原則とは、ズレに基づくセル再選択原則（ズレに基づくセル再選択原則は背景技術において詳細に説明したから、ここで重複しない）である。
【００４９】
上述したように、本発明の技術案により、同じ優先順位の一つまたは複数の周波数におけるセルを選択して、最適なセルを再選択することで、どのように複数の同じ優先順位の周波数におけるいくつかの再選択条件を満足するセルにセル再選択を行う問題を解決して、端末は特定の方式に従って高速的にセル再選択を行わせるとともに、ネットワークのパラメーターの配置は予期の目的を達させる。
【００５０】
以上は本発明の好ましい実施例だけであって、本発明を限定しない。当該分野の当業者なら、本発明は様々な改良および入れ替えが可能である。本発明の実質及び要旨を逸脱しない限り、任意の修正、入れ替え、改良は、本発明の特許請求の範囲に含まれると理解すべきである。
【図１】
0005912528.tif 000002
【図２】
0005912528.tif 000003